(57)【要約】【課題】高周波漏れ電流による装置内部での磁界放射自体を抑制し、系統電源側に流れ出る高周波漏れ電流による伝導ノイズを低減することのできる電力変換装置を提供する。【解決手段】電力変換装置本体を構築するスイッチング素子および電子回路部品が実装されるプリント回路基板と、接地電位に保たれて前記プリント回路基板を収納する筐体の一部を形成する金属体と、前記スイッチング素子の出力端子に接続されて前記プリント回路基板に立設され、該プリント回路基板に沿って延在させた導体部の先端に出力電源端子を形成した出力配線部材と、前記金属体と前記出力配線部材との間に設けられ、該金属体に接続されて接地電位に保たれる接地導体部とを備えた電力変換装置の内部構造を有し、高周波漏れ電流の電流ループが形成するループ面積を低減させて誘導ノイズの発生を低減して、系統電源ラインに流出する伝導ノイズを抑制する。【選択図】      図３
2014050260.tif 000002
【特許請求の範囲】
【請求項１】
入力電源ケーブルを介して系統電源に接続される入力電源端子から入力される交流電力を直流電力に変換した後、スイッチング素子を用いて前記直流電力をスイッチングして所定周波数で所定電圧の交流電力を生成して出力電源端子から出力する電力変換装置であって、
電力変換装置本体を構築する前記スイッチング素子および電子回路部品が実装されるプリント回路基板と、
接地電位に保たれて前記プリント回路基板を収納する筐体の一部を形成する金属体と、
前記スイッチング素子の出力端子に接続されて前記プリント回路基板に立設され、該プリント回路基板に沿って延在させた導体部の先端に前記出力電源端子を形成した出力配線部材と、
前記金属体と前記出力配線部材との間に設けられ、該金属体に接続されて接地電位に保たれる接地導体部と
を具備したことを特徴とする電力変換装置。
【請求項２】
前記接地導体部は、前記出力配線部材の導体部が対峙する面積以上の面積を有する前記プリント回路基板のベタアースパターン部または平板導体からなり、前記金属体に１点接続して設けられる請求項１に記載の電力変換装置。
【請求項３】
前記接地導体部は、前記出力電源端子と並ぶ位置に出力アース端子を設けたものである請求項１に記載の電力変換装置。
【請求項４】
前記電力変換装置本体は、単相または三相の交流電力を生成するものであり、前記出力配線部材は、上記交流電力の各相に対応する導体部を前記プリント回路基板に沿って平行に延在させて設けられる請求項１に記載の電力変換装置。
【請求項５】
前記電力変換装置本体は、前記プリント回路基板に立設された出力配線部材の近傍において、前記接地導体部と前記スイッチング素子の入力端子との間に、入力フィルタを形成する線間・接地コンデンサを接続したものである請求項１に記載の電力変換装置。
【請求項６】
前記線間・接地コンデンサは、前記スイッチング素子の正側および負側の各入力端子にそれぞれ一端を接続した第１および第２のコンデンサと、前記接地導体部の前記出力アース端子を設けた位置からの向きが前記出力配線部材の導体部と平行になる位置に一端を接続した第３のコンデンサとからなり、これらの第１〜第３のコンデンサの各他端をスター結線したものである請求項５に記載の電力変換装置。
【発明の詳細な説明】
【技術分野】
【０００１】
本発明は、系統電源ラインに流出する伝導ノイズを低減した電力変換装置に関する。
【背景技術】
【０００２】
モータ（電動機）等の負荷を駆動する電力変換システムは、例えば図４にその概略構成を示すように、系統電源（商用電源）１に入力電源ケーブル２を介して電源入力端子を接続し、電源出力端子に出力電源ケーブル３を介してモータ（負荷）４を接続した電力変換装置５を主体として構成される。この電力変換装置５は、系統電源１から入力される交流電力を一旦、直流電力に変換し、この直流電力をＭＯＳ-ＦＥＴやＩＧＢＴ等のスイッチング素子を用いてスイッチングすることで、任意の周波数で任意の電圧の交流電力を生成して出力するインバータ装置からなる。
【０００３】
尚、図４に示す電力変換装置５は、その電源入力部に、該電力変換装置５内で発生した伝導ノイズの前記系統電源１側への流出を阻止する為のノイズフィルタ６を備えている。また図４においては、前記系統電源１と前記入力電源ケーブル２との間に、前記電力変換装置５から前記系統電源１側に流出する伝導ノイズを計測する為の電源インピーダンス安定化回路網（ＬＩＳＮ）７を介装した例を示している。
【０００４】
ここで前記電力変換装置５の内部構造について図５および図６を参照して簡単に説明する。この電力変換装置（インバータ装置）５は、図４に示した電力変換装置本体を構築する、スイッチング素子（例えばＩＧＢＴ）Ｓ１〜Ｓ６や整流ダイオードＤ１〜Ｄ６および平滑コンデンサＣdc、更には前記ノイズフィルタ６を形成するコンデンサＣx１,Ｃy１,Ｃx２,Ｃy２等の電子回路部品をプリント回路基板１１に実装して構成される。
【０００５】
またこのプリント回路基板１１には、該プリント回路基板１１に沿って延在する導体部１２ａの先端に前記出力電源端子Ｕ,Ｖ,Ｗをそれぞれ形成した３本の出力配線部材１２が設けられる。これらの出力配線部材１２は、前記プリント回路基板１１に立設される基端部１２ｂの上端から該プリント回路基板１１に沿って平行に延びる長尺の導体部１２ａを備えたＬ字型の部材からなる。
【０００６】
そして前記各出力配線部材１２は、前記スイッチング素子Ｓ１〜Ｓ６の実装位置の近傍において、該スイッチング素子Ｓ１〜Ｓ６の出力端子に前記基端部１２ｂを前記プリント回路基板１１の導体部（プリントパターン）を介して接続して前記プリント回路基板１１に立設され、前記長尺の導体部１２ａを互いに平行に並べて設けられる。尚、前記スイッチング素子Ｓ１〜Ｓ６の出力端子とは、前記スイッチング素子Ｓ１〜Ｓ６で構成する三相ブリッジ回路において、スイッチング素子Ｓ１,Ｓ４からなる上下アームの接続点、スイッチング素子Ｓ２,Ｓ５からなる上下アームの接続点、およびスイッチング素子Ｓ３,Ｓ６からなる上下アームの接続点をそれぞれ指す。
【０００７】
更に前記プリント回路基板１１には、前記出力配線部材１２から離間した位置には該プリント回路基板１１に沿って延在する導体部１３ａの先端に前記入力電源端子Ｒ,Ｓ,Ｔをそれぞれ形成した３本の入力配線部材１３が設けられる。これらの入力配線部材１３は、前記プリント回路基板１１に立設される基端部１３ｂの上端から該プリント回路基板１１に沿って平行に延びる短尺の導体部１３ａを備えたＬ字型の部材からなる。そして前記各入力配線部材１３は、前記ノイズフィルタ６の入力端子に接続されて該プリント回路基板１１に立設され、前記短尺の導体部１３ａを互いに平行に並べて設けられる。
【０００８】
一方、前記スイッチング素子Ｓ１〜Ｓ６は、前記プリント回路基板１１を収容する筐体の一部をなす金属体１４の上側に、例えば図６に示すようにそのベース面を密着させて装着され、この状態で前記金属体１４と平行に位置付けられる前記プリント回路基板１１の裏面側に実装される。筐体の一部をなす前記金属体１４は、例えば前記プリント回路基板１１に設けられた入力アース端子（図示せず）にスタッド（図示せず）を介して接続されることで接地電位に保たれる。そして出力アース端子Ｅはスタッド１５を介して金属体１４に接続することで接地電位となり、前記出力アース端子Ｅに出力アース線（図示せず）を接続することで負荷との間までの接地がとられる。また前記金属体１４は、前記スイッチング素子Ｓ１〜Ｓ６を冷却する役割を兼ねており、特に図６においては前記金属体１４の下面側に、前記スイッチング素子Ｓ１〜Ｓ６の冷却を促進する為の冷却フィン１６を装着した例を示している。
【０００９】
尚、図５および図６においては、電力変換装置５において問題となる高周波漏れ電流について説明する為に、前記プリント回路基板１１に実装された前記出力配線部材１２、入力配線部材１３、スイッチング素子Ｓおよび線間・接地コンデンサＣx１,Ｃy１、および該プリント回路基板１１と前記金属体１４との配置構造を概略的に示しており、その他の構成部品については省略している。
【００１０】
さて上述した如く構成された前記電力変換装置（インバータ装置）５を運転すると、該電力変換装置５における前記スイッチング素子Ｓ１〜Ｓ６の高周波スイッチング動作に伴う出力電圧の変動に起因して、該電力変換装置５の浮遊容量と、前記出力電源端子Ｕ,Ｖ,Ｗに接続された前記出力電源ケーブル３および前記モータ４の浮遊容量を通して図４に点線Ｉａで示すように高周波漏れ電流が流れる。
【００１１】
この高周波漏れ電流はコモンモード電流と称され、その多くは図４に点線Ｉｂで示すようにノイズフィルタの働きによって前記電力変換装置５と前記モータ４との間で還流する。しかし前記ノイズフィルタで還流しきれなかった高周波漏れ電流は入力電源ケーブル２を介して図４に点線Ｉｃで示すように前記系統電源１側に流出する。一方、電力変換装置内部の誘導ノイズが、入力電源ケーブル２のアース線を介して系統電源1側に流出することもある。すると系統電源１側に流出した高周波漏れ電流が、前記電源インピーダンス安定化回路網（ＬＩＳＮ）７を介して入力電源ケーブル２の電力線に回り込む。すると前記高周波漏れ電流は前記入力電源ケーブル２を介して漏洩する、いわゆる伝導ノイズとなり、前記系統電源１に接続された電子機器（図示せず）の誤動作を招来する恐れがある。
【００１２】
この伝導ノイズの発生要因となる前記高周波漏れ電流（コモンモード電流）は、前記電力変換装置５のスイッチング周波数が高くなる程大きくなる。しかも電力変換装置５のスイッチング周波数は、当該電力変換装置５の低騒音化を目的として益々高周波数化する傾向にあり、前述した伝導ノイズの問題が大きくなってきている。
【００１３】
このような問題に対して、前記電力変換装置５の入力部に設けた前述したノイズフィルタ６に加えて、更に該電力変換装置５の出力部（スイッチング素子Ｓ１〜Ｓ６の出力端子）にコモンモードフィルタとノーマルモードフィルタとを設けることで、負荷（モータ）４を介して流れる前記コモンモード電流を低減することが提唱されている（例えば特許文献１,２を参照）。
【先行技術文献】
【特許文献】
【００１４】
【特許文献１】特開２００８−６７５３４号公報
【特許文献２】特開２０１０−１４８２５９号公報
【発明の概要】
【発明が解決しようとする課題】
【００１５】
しかしながら前記ノイズフィルタ６はノイズフィルタの接続位置より上流部分に誘導されたノイズを抑制できないため、前記系統電源１側に流れ出る高周波漏れ電流を抑制する上で限界がある。また特許文献１等に紹介されるように前記電力変換装置５の出力部にコモンモードフィルタとノーマルモードフィルタとを設けたとしても、該電力変換装置５での高周波スイッチング動作に伴う出力電圧の変動に起因する高周波漏れ電流の発生自体を抑制することは困難である。従って高周波漏れ電流に起因する伝導ノイズの発生をフィルタに頼ることなく抑制することが重要な課題となっている。
【００１６】
本発明はこのような事情を考慮してなされたもので、その目的は、電力変換装置での高周波スイッチング動作に伴う出力電圧の変動に伴う高周波漏れ電流に起因する誘導ノイズの発生を抑制し、これによって系統電源側に流出する伝導ノイズを低減した電力変換装置を提供することにある。
【課題を解決するための手段】
【００１７】
本発明は、伝導ノイズの発生要因が、電力変換装置の内部における誘導結合によって形成される電流路を流れる高周波漏れ電流により、上記電流路を形成する電流ループから発生する誘導ノイズであることに着目してなされている。即ち、本発明は、出力電源ケーブルの電力線とアース線等を介して形成される電力変換装置の内部での高周波漏れ電流の電流経路がループアンテナとなり、該ループにて囲まれた面からの誘導磁界の放出がノイズ源となることに着目している。そして電力変換装置の内部における前記高周波漏れ電流の電流経路となるループの面積を小さくすれば誘導ノイズを低減でき、これに伴って伝導ノイズを低減し得ると言う観点に立脚してなされている。
【００１８】
そこで上述した目的を達成するべく本発明に係る電力変換装置は、該電力変換装置の内部構成として、
電力変換装置本体を構築するスイッチング素子および電子回路部品が実装されるプリント回路基板と、
接地電位に保たれて前記プリント回路基板を収納する筐体の一部を形成する金属体と、
前記スイッチング素子の出力端子に接続されて前記プリント回路基板に立設され、該プリント回路基板に沿って延在させた導体部の先端に出力電源端子を形成した出力配線部材と、
前記金属体と前記出力配線部材との間に設けられ、該金属体に接続されて接地電位に保たれる接地導体部と
を具備したことを特徴としている。
【００１９】
具体的には前記接地導体部は、前記出力配線部材の導体部が対峙する面積以上の面積を有する前記プリント回路基板のベタアースパターン部または平板導体からなり、前記出力配線部材が立設された位置の近傍で前記金属体に１点接続して設けることが好ましい。また前記接地導体部の、前記出力電源端子と並ぶ位置に出力アース端子を設けることが好ましい。
【００２０】
また前記電力変換装置本体は、単相または三相の交流電力を生成するインバータ装置からなり、前記出力配線部材については、前記交流電力の各相に対応する導体部を前記プリント回路基板に沿って平行に延在させて設けることが望ましい。更には前記電力変換装置本体は、前記プリント回路基板に立設された出力配線部材の近傍において、前記接地導体部と前記スイッチング素子の入力端子との間に、入力フィルタを形成する線間・接地コンデンサを接続した構成とすることが望ましい。
【００２１】
尚、前記線間・接地コンデンサは、前記スイッチング素子の正側および負側の各入力端子にそれぞれ一端を接続した第１および第２のコンデンサと、前記接地導体部の前記出力アース端子を設けた位置からの向きが前記出力配線部材の導体部と平行になる位置に一端を接続した第３のコンデンサとからなり、これらの第１〜第３のコンデンサの各他端をスター結線したものである。
【発明の効果】
【００２２】
上記構成の電力変換装置によれば、金属体と出力配線部材との間に該出力配線部材の導体部が対峙する面積以上の面積を有する接地導体部を設けているので、電力変換装置と負荷との間で還流する高周波漏れ電流は、前記接地導体部を介する電流経路を形成して流れる。従って前記高周波漏れ電流が前記筐体の一部をなす金属体を介する電流経路を形成して流れていた場合よりも、前記高周波漏れ電流の電流経路が形成するループ面積を狭くすることができる。この結果、ループ面積を狭くした分、前記高周波漏れ電流に起因する誘導ノイズを低減することができ、ひいては系統電源側に生じる伝導ノイズを低く抑えることが可能となる。
【００２３】
また前記プリント回路基板に立設された出力配線部材の近傍において、前記接地導体部と前記スイッチング素子の入力端子との間に、ノイズフィルタの一部を形成する線間・接地コンデンサを設けているので、前記線間・接地コンデンサを整流ダイオードの前段に設けた場合よりも、該線間・接地コンデンサを介する前記高周波漏れ電流の電流経路が形成するループ面積も狭くすることができる。従って前記接地導体部による作用・効果と相俟って前記高周波漏れ電流に起因する誘導ノイズを更に低減することができ、系統電源側に生じる伝導ノイズを低く抑えることが可能となる。
【００２４】
しかも前記接地導体部の前記出力アース端子を設けた位置と、該接地導体部の前記線間・接地コンデンサを接続した位置とを結ぶ向きを、前記出力配線部材の導体部と平行になるように定めているので、前記出力アース端子と前記線間・接地コンデンサとの間に流れる前記高周波漏れ電流の前記接地導体部上での電流経路を前記出力配線部材の導体部と平行な最短経路とすることができ、この点でも前記高周波漏れ電流に起因する誘導ノイズの放射を抑えることができる。
【００２５】
故に、電力変換装置の内部構造を工夫して高周波漏れ電流の電流路を形成するループの面積を小さくするだけで、簡易にして効果的に伝導ノイズを低減することかでき、前述したノイズフィルタによる高周波漏れ電流の抑制限界を効果的に補うことができ、その実用的利点が多大である。
【図面の簡単な説明】
【００２６】
【図１】本発明の一実施形態に係る電力変換装置を備えた電力変換システムの概略的な全体構成と伝導ノイズの要因となる高周波漏れ電流の流れを示す図。
【図２】本発明の一実施形態に係る電力変換装置の内部構造を概略的に示す斜視図。
【図３】図２に示す電力変換装置の内部構造と高周波漏れ電流の流れを示す図。
【図４】電力変換システムの概略的な全体構成と伝導ノイズの要因となる高周波漏れ電流の流れを示す図。
【図５】従来の電力変換装置の内部構造の例を概略的に示す斜視図。
【図６】図５に示す電力変換装置の内部構造と高周波漏れ電流の流れを示す図。
【発明を実施するための形態】
【００２７】
以下、本発明の一実施形態に係る電力変換装置について説明する。
【００２８】
図１は本発明の一実施形態に係る電力変換装置を備えた電力変換システムの概略的な全体構成を示す図であり、基本的には図４に示した電力変換システムと同様に構成される。従って前述した図４に示す電力変換システムと同じ構成要素には同一符号を付して示し、その重複する説明については省略する。
【００２９】
尚、ここでは系統電源１から給電される三相交流電力Ｒ,Ｓ,Ｔを電力変換装置（インバータ装置）５において電力変換した三相交流電力Ｕ,Ｖ,Ｗにて、その負荷４であるモータ（三相交流モータ）を駆動する例について説明するが、電力変換装置５にて単相交流を電力変換して負荷（モータ４）を駆動する電力変換システムにおいても同様に適用可能である。
【００３０】
また図２は、本発明の一実施形態に係る電力変換装置５の内部構造を概略的に示す斜視図であり、図３は図２に示す電力変換装置５の内部構造と高周波漏れ電流の流れを示している。尚、図２および図３に示す電力変換装置５の内部構造も、基本的には前述した図５および図６に示す電力変換装置５の内部構造と同一であり、同一構成要素について同一符号を付して、その繰り返し説明は省略する。
【００３１】
この電力変換装置５が特徴とするところは、該電力変換装置５の筐体の一部をなす前記金属体１４と前記出力配線部材１２との間に、該金属体１４に一点接続されて接地電位に保たれる接地導体部１７を設けた点にある。この接地導体部１７は、前記出力配線部材１２の導体部１２ａが対峙する面積以上の面積を有する前記プリント回路基板１１のベタアースパターン部または平板導体からなる。尚、ここでは前記プリント回路基板１１の表面にベタアースパターン部として形成した接地導体部１７を示すが、前記プリント回路基板１１の裏面側に設けたベタアースパターン部として前記接地導体部１７を設けることも可能である。
【００３２】
また前記接地導体部１７には、前記出力配線部材１２の導体部１２ａと平行となり、且つ前記導体部１２ａの先端部にそれぞれ形成された出力電源端子Ｕ,Ｖ,Ｗと並ぶ位置に前記出力アース端子Ｅが設けられている。この出力アース端子Ｅは、例えば図６に示したように前記金属体１４に立設されたスタッド１５の上端に形成されたものからなる。そしてこの出力アース端子Ｅに前記接地導体部１７を接続することで該接地導体部１７は前記金属体１４に一点接続される。
【００３３】
尚、特に図示しないが、例えば前記出力アース端子Ｅを前記スタッド１５とは独立させて前記接地導体部１７に設けることも可能である。この場合には前記接地導体部１７と前記金属体１４との一点接続を、前記金属体１４に立設されて前記プリント回路基板１１を支持する複数本のスタッドの内、例えば前記スイッチング素子Ｓ１〜Ｓ６の近傍位置に立設された１本のスタッド１５を介して行うようにすれば良い。
【００３４】
一方、前記接地導体部１７の一部は、前記プリント回路基板１１に立設された前記出力配線部材１２の側方を通って、該出力配線部材１２の導体部１２ａと反対側の位置まで延在して設けられている。具体的には前記接地導体部１７の延在部１７ａは、前記スイッチング素子（ＩＧＢＴ）Ｓ１〜Ｓ６の近傍に配置されて前記プリント回路基板１１に実装される線間・接地コンデンサＣx２,Ｃy２の実装部位に至る位置まで設けられている。
【００３５】
ちなみに前記線間・接地コンデンサＣx２,Ｃy２は、前記ノイズフィルタ６の一部を形成するもので、前記スイッチング素子の正側および負側の各入力端子にそれぞれ一端を接続した第１および第２のコンデンサＣx２,Ｃx２、および前記接地導体部１７に一端を接続した第３のコンデンサＣy２の各他端をスター結線したものからなる。そして前記接地導体部１７の延在部１７ａは、接地側に設けられる前記第３のコンデンサＣy２の接続部としての役割を担う。
【００３６】
特に前記接地導体部１７の延在部１７ａは、前記第３のコンデンサＣy２の接続点と、該接地導体部１７の前記出力アース端子Ｅを設けた位置とを結ぶ向きが、前記出力配線部材１２の導体部１２ａと平行になるような形状を有している。このような形状の前記接地導体部１７の延在部１７ａは、出力アース端子Ｅから該接地導体部１７に流れ込む高周波漏れ電流に対して、前記出力配線部材１２の導体部１２ａと平行な電流経路を形成して前記線間・接地コンデンサＣx２,Ｃy２に導くように機能する。
【００３７】
このように構成された電力変換装置によれば、図３に高周波漏れ電流の流れを示すように、出力アース端子Ｅから流れ込む高周波漏れ電流は、図６に示した従来構造のようにスタッド１５を介して金属体１４に流れることなく、プリント回路基板１１上の前記接地導体部１７に流れる。そしてこの高周波漏れ電流は、前記接地導体部１７の延在部１７ａ介して前記線間・接地コンデンサＣx２,Ｃy２に流れ込んだ後、スイッチング素子Ｓ１〜Ｓ６の寄生容量（図示せず）を介して前記出力配線部材１２に流れ出る。
【００３８】
従って上記構造によれば前記接地導体部１７が前記金属体１４よりも前記出力配線部材１２に近接させて設けられている分、該接地導体部１７と出力配線部材１２との間に形成される電流経路のループ面積が狭くなる。しかも前記高周波漏れ電流は、前記スイッチング素子（ＩＧＢＴ）Ｓ１〜Ｓ６の近傍に配置された前記線間・接地コンデンサＣx２,Ｃy２を介して流れるので、図４に示したように線間・接地コンデンサＣx２,Ｃy２を前記整流ダイオードの入力側である交流側に設けた場合よりも、その電流ループを大幅に狭くすることができる。
【００３９】
しかも前述したように前記出力配線部材１２に対峙する位置に前記接地導体部１７を設けているので、前記線間・接地コンデンサＣx２,Ｃy２を前記スイッチング素子（ＩＧＢＴ）Ｓ１〜Ｓ６の直流入力端側に設けていることと相俟って、前記高周波漏れ電流の電流経路を最短に設定することができる。この結果、該高周波漏れ電流の電流経路が形成する電流ループから放射される誘導ノイズを小さくすることができる。従って前記高周波漏れ電流に起因する誘導ノイズの発生量自体を低減することができ、系統電源１側に発生する伝導ノイズを抑制することが可能となる。
【００４０】
更には前述した接地導体部１７により、前記プリント回路基板１１上に実装される各種の電子回路部品に対する前記出力配線部材１２のシールド効果も期待できる。従って前記プリント回路基板１１の実装密度が高い場合でも、前記出力配線部材１２と該プリント回路基板１１に実装された各種電子部品との不本意な誘導結合を防止することが可能となる。この結果、高周波漏れ電流に対する不本意な電流ループが徒に形成されることがなくなり、その分、誘導ノイズの発生を抑えることができるので、誘導ノイズに起因する伝導ノイズを効果的に低減することが可能となる。
【００４１】
尚、出力電源ケーブル３を介して流れる高周波漏れ電流に起因する誘導ノイズについては、専ら、該出力電源ケーブル３が４芯ケーブルや４芯シールドケーブルにより実現されるので、その電力線とアース線との間に形成される電流ループの面積を実質的に無視することができる。従って上述した構成を採用することで前記電力変換装置５の内部における電流ループの面積を極力少なくし、これによって伝導ノイズの発生量を低減することは極めて有効であり、実用性が高いと言える。
【００４２】
かくして上述した如く構成された構造の電力変換装置５を用いて構築される電力変換システムによれば、誘導ノイズの発生を抑制し、前記入力電源ケーブル２を介して前記系統電源１側に流れ出る高周波漏れ電流を少なくすることができるので、伝導ノイズの発生を抑制することができる。本発明者等の実験によれば、図５に示す内部構造の電力変換装置５に比較して、略２ｄＢの伝導ノイズ低減効果があることが確認できた。故に、本発明に係る電力変換装置によれば前記系統電源１に接続された他の電子機器（図示せず）の誤動作を効果的に防止することができる等の実用上多大なる効果が奏せられる。
【００４３】
尚、本発明は上述した実施形態に限定されるものではない。例えば前記出力配線部材１２の導体部１２ａは、専ら、前記プリント回路基板１１におけるスイッチング素子Ｓ１〜Ｓ６の実装位置と、前記出力電源端子Ｕ,Ｖ,Ｗを設ける位置とを最短距離で結ぶようにその長さが定められる。従って前記出力配線部材１２の導体部１２ａに対峙する面の全てを覆うように、前記プリント回路基板１１上に前記接地導体部１７をベタアースパターンとして形成すれば十分である。
【００４４】
また前記出力配線部材１２の導体部１２ａの前記プリント回路基板１１からの高さについても出来得る限り低くして、前記接地導体部１７との間に形成される電流ループの面積を狭くすることが望ましい。その他、本発明はその要旨を逸脱しない範囲で種々変形して実施することができる。
【符号の説明】
【００４５】
１  系統電源
２  入力電源ケーブル
３  出力電源ケーブル
４  負荷（モータ）
５  電力変換装置
６  ノイズフィルタ
１１  プリント回路基板
１２  出力配線部材
１３  入力配線部材
１４  金属体
１５  スタッド
１６  冷却フィン
１７  接地導体部
１７ａ  延在部  
Ｓ１〜Ｓ６  スイッチング素子（ＩＧＢＴ）
Ｕ,Ｖ,Ｗ  出力電源端子
Ｅ  出力アース端子
Ｃx２,Ｃy２  線間・接地コンデンサ
【図２】
2014050260.tif 000003
【図５】
2014050260.tif 000004
【図１】
2014050260.tif 000005
【図３】
2014050260.tif 000006
【図４】
2014050260.tif 000007
【図６】
2014050260.tif 000008